(57)【特許請求の範囲】
【請求項１】
ネットワーク側デバイスによって実行される通信モード切り替え方法であって、
第1の端末デバイスによって送信された測定報告を受信するステップと、
前記測定報告がイベント指示情報を含む場合、前記第1の端末デバイスと異なる第2の端末デバイスの、第1の通信モードから第2の通信モードに切り替えられる必要がある第2のV2Xサービスを決定するステップであって、前記イベント指示情報は、前記第1の通信モードの無線リソースが、前記第1の通信モードを使用することによって前記第1の端末デバイスによって第1のV2Xサービスを送信する送信要件を満たすことができないことを指示するために使用され、前記第2の通信モードが前記第1の通信モードと異なる、ステップと、
モード切り替え指示をV2X制御機能に送信するか、または第1の更新許可パラメータを前記第2の端末デバイスに送信するステップであって、前記モード切り替え指示は、前記V2X制御機能に、前記第2の端末デバイスの前記第2のV2Xサービスの通信モードを前記第2の通信モードに切り替えるよう指示するために使用され、前記第1の更新許可パラメータは、前記第2の端末デバイスに、前記第2のV2Xサービスの前記通信モードを前記第2の通信モードに切り替えるよう指示するために使用される、ステップと
を含む、方法。
【請求項２】
前記モード切り替え指示は、
前記第2の端末デバイスのデバイス識別子、前記第2のV2Xサービスのサービス識別子および第1の切り替えコマンドを含み、
前記第1の切り替えコマンドは、前記第2のV2Xサービスの前記通信モードを前記第1の通信モードから前記第2の通信モードに切り替えるよう指示するために使用される、
請求項1に記載の方法。
【請求項３】
前記モード切り替え指示は、
切り替え識別子であって、前記切り替え識別子は切り替え記録を指示するために使用され、前記切り替え記録は、前記第2のV2Xサービスの前記サービス識別子および前記第1の切り替えコマンドを記録するために使用される、切り替え識別子
を更に含む、請求項2に記載の方法。
【請求項４】
モード切り替え指示をV2X制御機能へ送信する前記ステップ、または第1の更新許可パラメータを前記第2の端末デバイスへ送信する前記ステップの後、前記方法は、
所定の条件が満たされた場合、モード復元指示を前記V2X制御機能に送信するか、または第2の更新許可パラメータを前記第2の端末デバイスに送信するステップ
を更に含み、
前記モード復元指示は、前記V2X制御機能に、前記第2のV2Xサービスの前記通信モードを前記第1の通信モードに復元するよう指示するために使用され、前記第2の更新許可パラメータは、前記第2の端末デバイスに、前記第2のV2Xサービスの前記通信モードを切り替えて前記第1の通信モードに戻すよう指示するために使用される、
請求項1から3のいずれか一項に記載の方法。
【請求項５】
前記第1のV2Xサービスと前記第2のV2Xサービスは同じサービスである、
請求項1から4のいずれか一項に記載の方法。
【請求項６】
ネットワーク側デバイスによって実行される通信モード切り替え方法であって、
第1の通信モードの無線リソースが、前記第1の通信モードを使用することによって第1の端末デバイスによって第1のV2Xサービスを送信するデータ送信要件を満たすことができないときに、モード切り替え指示を取得するステップと、
前記モード切り替え指示に含まれる情報に基づいて、前記第1の通信モードから第2の通信モードに切り替えられる必要がある第2のV2Xサービス、および前記第2のV2Xサービスが属する第2の端末デバイスを決定するステップであって、前記第2の端末デバイスは前記第1の端末デバイスと異なる、ステップと、
第1の更新許可パラメータを前記第2の端末デバイスに送信するステップであって、前記第1の更新許可パラメータは、前記第2の端末デバイスに、前記第2のV2Xサービスの通信モードを前記第1の通信モードから前記第2の通信モードに切り替えるよう指示するために使用される、ステップと
を含む、方法。
【請求項７】
前記モード切り替え指示に含まれる情報に基づいて、第1の通信モードから第2の通信モードに切り替えられる必要がある第2のV2Xサービスと、前記第2のV2Xサービスが属する第2の端末デバイスとを決定する前記ステップは、
前記モード切り替え指示から取得したデバイス識別子に基づいて前記第2の端末デバイスを決定するステップと、
前記モード切り替え指示から取得したサービス識別子に基づいて前記第2のV2Xサービスを決定するステップと、
前記モード切り替え指示から取得した第1の切り替えコマンドに基づいて、前記第2の通信モードを決定するステップと
を含む、請求項6に記載の方法。
【請求項８】
第1の更新許可パラメータを前記第2の端末デバイスに送信する前記ステップの後、前記方法は、
モード復元指示を取得するステップであって、前記モード復元指示は、V2X制御機能に、前記第2のV2Xサービスの前記通信モードを前記第1の通信モードに復元するよう指示するために使用される、ステップと、
前記モード復元指示に含まれる情報に基づいて、前記第2の通信モードから切り替えられて前記第1の通信モードに戻される必要がある前記第2のV2Xサービスと、前記第2のV2Xサービスが属する前記第2の端末デバイスとを決定するステップと、
第2の更新許可パラメータを前記第2の端末デバイスに送信するステップであって、前記第2の更新許可パラメータは、前記第2の端末デバイスに、前記第2のV2Xサービスの前記通信モードを前記第2の通信モードから切り替えて前記第1の通信モードに戻すよう指示するために使用される、ステップと
を更に含む、請求項7に記載の方法。
【請求項９】
前記モード復元指示に含まれる情報に基づいて、前記第2の通信モードから切り替えられ前記第1の通信モードに戻される必要がある前記第2のV2Xサービスと、前記第2のV2Xサービスが属する前記第2の端末デバイスとを決定する前記ステップは、
前記モード復元指示から切り替え識別子および前記デバイス識別子を取得するステップと、
前記切り替え識別子に対応するサービス識別子および通信モードを取得するステップと、
前記モード復元指示から取得された前記デバイス識別子に基づいて前記第2の端末デバイスを決定するステップと、
前記切り替え識別子に対応する前記サービス識別子に基づいて前記第2のV2Xサービスを決定するステップと、
前記切り替え識別子に対応する前記通信モードに基づいて前記第2の通信モードを決定するステップと
を含む、請求項8に記載の方法。
【請求項１０】
プロセッサおよび通信モジュールを含むネットワーク側デバイスであって、
前記通信モジュールは第1の端末デバイスによって送信された測定報告を受信するように構成され、
前記プロセッサは、前記測定報告がイベント指示情報を含む場合、前記第1の端末デバイスと異なる第2の端末デバイスの、第1の通信モードから第2の通信モードに切り替えられる必要がある第2のV2Xサービスを決定し、前記イベント指示情報は、前記第1の通信モードの無線リソースが、前記第1の通信モードを使用することによって前記第1の端末デバイスによって第1のV2Xサービスを送信する送信要件を満たすことができないことを指示するために使用され、前記第2の通信モードは前記第1の通信モードと異なるように構成され、
前記通信モジュールは、モード切り替え指示をV2X制御機能に送信するか、または第1の更新許可パラメータを前記第2の端末デバイスに送信し、前記モード切り替え指示は、前記V2X制御機能に、前記第2の端末デバイスの前記第2のV2Xサービスの通信モードを前記第2の通信モードに切り替えるよう指示するために使用され、前記第1の更新許可パラメータは、前記第2の端末デバイスに、前記第2のV2Xサービスの前記通信モードを前記第2の通信モードに切り替えるよう指示するために使用される、ように構成される、
ネットワーク側デバイス。
【請求項１１】
前記モード切り替え指示は、前記第2の端末デバイスのデバイス識別子、前記第2のV2Xサービスのサービス識別子および第1の切り替えコマンドを含み、前記第1の切り替えコマンドは、前記第2のV2Xサービスの前記通信モードを前記第1の通信モードから前記第2の通信モードに切り替えるよう指示するために使用される、
請求項10に記載のデバイス。
【請求項１２】
前記モード切り替え指示は、切り替え識別子であって、前記切り替え識別子は切り替え記録を指示するために使用され、前記切り替え記録は、前記第2の端末デバイスの前記デバイス識別子、前記第2のV2Xサービスの前記サービス識別子および前記第1の切り替えコマンドを含む、切り替え識別子を更に含む、
請求項11に記載のデバイス。
【請求項１３】
前記通信モジュールは、所定の条件が満たされた場合、モード復元指示を前記V2X制御機能に送信するか、または第2の更新許可パラメータを前記第2の端末デバイスに送信し、前記モード復元指示は、前記V2X制御機能に、前記第2のV2Xサービスの前記通信モードを前記第1の通信モードに復元するよう指示するために使用され、前記第2の更新許可パラメータは、前記第2の端末デバイスに、前記第2のV2Xサービスの前記通信モードを切り替えて前記第1の通信モードに戻すよう指示するために使用されるように更に構成される、
請求項10から12のいずれか一項に記載のデバイス。
【請求項１４】
前記第1のV2Xサービスと前記第2のV2Xサービスは同じサービスである、
請求項10から13のいずれか一項に記載のデバイス。
【請求項１５】
プロセッサおよび通信モジュールを含むネットワーク側デバイスであって、
前記通信モジュールは、第1の通信モードの無線リソースが、前記第1の通信モードを使用することによって第1の端末デバイスによって第1のV2Xサービスを送信するデータ送信要件を満たすことができないときに、モード切り替え指示を取得するように構成され、
前記プロセッサは、前記モード切り替え指示に含まれる情報に基づいて、前記第1の通信モードから第2の通信モードに切り替えられる必要がある第2のV2Xサービス、および前記第2のV2Xサービスが属する第2の端末デバイスを決定するように構成され、前記第2の端末デバイスは前記第1の端末デバイスと異なり、
前記通信モジュールは第1の更新許可パラメータを前記第2の端末デバイスに送信し、前記第1の更新許可パラメータは、前記第2の端末デバイスに、前記第2のV2Xサービスの通信モードを前記第1の通信モードから前記第2の通信モードに切り替えるよう指示するために使用されるように更に構成される、
ネットワーク側デバイス。
【請求項１６】
前記プロセッサは、前記モード切り替え指示から取得したデバイス識別子に基づいて前記第2の端末デバイスを決定し、前記モード切り替え指示から取得したサービス識別子に基づいて前記第2のV2Xサービスを決定し、前記モード切り替え指示から取得した第1の切り替えコマンドに基づいて前記第2の通信モードを決定するように特に構成される、
請求項15に記載のデバイス。
【請求項１７】
前記通信モジュールは、モード復元指示を取得し、前記モード復元指示が、V2X制御機能に、前記第2のV2Xサービスの前記通信モードを前記第1の通信モードに復元するよう指示するために使用されるように更に構成され、
前記プロセッサは、前記モード復元指示に含まれる情報に基づいて、前記第2の通信モードから切り替えられ前記第1の通信モードに戻される必要がある前記第2のV2Xサービスと、前記第2のV2Xサービスが属する前記第2の端末デバイスとを決定するように更に構成され、
前記通信モジュールは、第2の更新許可パラメータを前記第2の端末デバイスに送信し、前記第2の更新許可パラメータは、前記第2の端末デバイスに、前記第2のV2Xサービスの前記通信モードを前記第2の通信モードから切り替えて前記第1の通信モードに戻すよう指示するために使用されるように更に構成される、
請求項16に記載のデバイス。
【請求項１８】
前記プロセッサは、前記モード復元指示から切り替え識別子および前記デバイス識別子を取得し、前記切り替え識別子に対応するサービス識別子および通信モードを取得し、前記モード復元指示から取得された前記デバイス識別子に基づいて前記第2の端末デバイスを決定し、前記切り替え識別子に対応する前記サービス識別子に基づいて前記第2のV2Xサービスを決定し、前記切り替え識別子に対応する前記通信モードに基づいて前記第2の通信モードを決定する、ように特に構成される、
請求項17に記載のデバイス。
【請求項１９】
命令を含むコンピュータ可読記憶媒体であって、前記命令がコンピュータ上で実行されると、前記コンピュータは請求項1から9のいずれか一項に記載の方法を実行できるようにされる、コンピュータ可読記憶媒体。
【発明の詳細な説明】
【技術分野】
【０００１】
本願は、2017年6月23日に中国国家知識産権局に提出された「COMMUNICATION MODE SWITCHING METHOD，NETWORK SIDE DEVICE，AND TERMINAL DEVICE」という名称の中国特許出願201710486955．6号に基づく優先権を主張し、その全体が参照により本明細書に組み込まれる。
【０００２】
本願は、無線通信分野に関し、特に、通信モード切り替え方法、ネットワーク側デバイスおよび端末デバイスに関する。
【背景技術】
【０００３】
ビークル・ツー・エブリシング（vehicle to everything、V2X）は、合意された通信プロトコルおよび合意されたデータ交換標準に従った車内ネットワーク、車両間ネットワークおよび車内モバイルインターネットに基づいて、車両と他の装置との間で無線通信および情報交換が行われる大規模システムネットワークである。車両のインターネットは、高度交通管理、高度動的情報サービスおよび高度車両制御を実施できる統合ネットワークであり、交通システムの分野におけるモノのインターネット技術の典型的応用である。
【０００４】
PC5インタフェースが通信に使用されるPC5通信モードは、ネットワークカバレッジおよびネットワークカバレッジなしをサポートする。従って、V2X装置間の通信に通常使用される通信モードはPC5通信モードである。車両のインターネット装置間の通信に通常使用される通信モードはPC5通信モードであるため、車両のインターネットのエアインタフェースリソースをスケジューリングする既存の方法は、主にPC5インタフェースリソースのスケジューリングを目的としている。PC5インタフェースリソースは、基地局カバレッジのケースと基地局カバレッジなしのケースでスケジューリングされ得る。基地局カバレッジなしのケース、車両のインターネット装置は、全地球ナビゲーション衛星システム（global navigation satellite system、GNSS）を使用することによって時間同期を実行し、また車々間（vehicle to vehicle、V2V）通信において分散スケジューリング技術を使用することによって、V2V通信のスケジューリングおよびインタフェース管理を実施してもよい。基地局カバレッジのケース、LTEシステムの無線基地局を使用することによって、V2V通信のスケジューリングおよびインタフェース管理を支援することができる。
【０００５】
PC5通信モードは近距離通信であり、PC5インタフェースリソースの量によって制限されるため、基地局がスケジューリングに参加する場合でも、PC5通信モードで通信が実行できる範囲において、V2Xネットワークへのアクセスを許可され得る端末デバイスの最大アクセス量もまた極めて制限される。都市の比較的混雑したまたは渋滞した交差点において、PC5インタフェースが通信に使用される場合、V2V通信におけるリソースの輻輳、帯域幅の不足、信号品質の低下などが、PC5インタフェースリソースの限られた量によって引き起こされる可能性がある。
【発明の概要】
【０００６】
本願は、通信モード切り替え方法、ネットワーク側デバイス、および端末デバイスを提供して、リソースの輻輳、帯域幅の不足、信号品質の低下など、V2V通信でのPC5インタフェースリソースの限られた量に起因するケースを減らす。
【０００７】
第1の態様によれば、本願は通信モード切り替え方法を提供し、方法は、第1の端末デバイスによって送信された測定報告を受信するステップと、測定報告がイベント指示情報を含む場合、第2の端末デバイスの、第1の通信モードから第2の通信モードに切り替えられる必要がある第2のV2Xサービスを決定するステップであって、イベント指示情報は、第1の通信モードの無線リソースが、第1の通信モードを使用することによって第1の端末によって第1のV2Xサービスを送信する送信要件を満たすことができないことを指示するために使用され、第2の通信モードが第1の通信モードと異なる、ステップと、モード切り替え指示をV2X制御機能に送信するか、または第1の更新許可パラメータを第2の端末デバイスに送信するステップであって、モード切り替え指示は、V2X制御機能に、第2の端末デバイスの第2のV2Xサービスの通信モードを第2の通信モードに切り替えるよう指示するために使用され、第1の更新許可パラメータは、第2の端末デバイスに、第2のV2Xサービスの通信モードを第2の通信モードに切り替えるよう指示するために使用される、ステップとを含む。
【０００８】
第1の態様を参照して、第1の態様の第1の可能な実施では、モード切り替え指示は、第2の端末デバイスのデバイス識別子、第2のV2Xサービスのサービス識別子および第1の切り替えコマンドを含む。第1の切り替えコマンドは、第2のV2Xサービスの通信モードを第1の通信モードから第2の通信モードに切り替えるよう指示するために使用される。
【０００９】
第1の態様の第1の可能な実施を参照して、第1の態様の第2の可能な実施では、モード切り替え指示は切り替え識別子を更に含む。切り替え識別子は、切り替え記録を指示するために使用され、切り替え記録は、第2の端末デバイスのデバイス識別子、第2のV2Xサービスのサービス識別子および第1の切り替えコマンドを含む。
【００１０】
第1の態様あるいは第1の態様の第1または第2の可能な実施のいずれか1つを参照して、第1の態様の第3の可能な実施では、モード切り替え指示をV2X制御機能へ送信するステップ、または第1の更新許可パラメータを第2の端末デバイスへ送信するステップの後、方法は、所定の条件が満たされた場合、モード復元指示をV2X制御機能に送信するか、または第2の更新許可パラメータを第2の端末デバイスに送信するステップを更に含み、モード復元指示は、V2X制御機能に、第2のV2Xサービスの通信モードを第1の通信モードに復元するよう指示するために使用され、第2の更新許可パラメータは、第2の端末デバイスに、第2のV2Xサービスの通信モードを切り替えて第1の通信モードに戻すよう指示するために使用される。
【００１１】
第1の態様の第3の可能な実施を参照して、第1の態様の第4の可能な実施では、モード復元指示は、第2の端末デバイスのデバイス識別子、第2のV2Xサービスのサービス識別子および第2の切り替えコマンドを含む。あるいは、モード復元指示は切り替え識別子を含む。
【００１２】
第1の態様の第3または第4の可能な実施のいずれか1つに関して、第1の態様の第5の可能な実施では、モード切り替え指示のV2X制御機能への送信前に、方法は、第2のV2Xサービスの通信モードが、第1の通信モードから第2の通信モードに切り替えられる検出継続時間を決定するステップを更に含み、所定の条件が満たされた場合、モード復元指示をV2X制御機能へ送信、または第2の更新許可パラメータを第2の端末デバイスへ送信するステップは、第1のV2Xサービスのデータが検出継続時間を超える時間送信されない場合、モード復元指示をV2X制御機能に送信するか、または第2の更新許可パラメータを第2の端末デバイスに送信するステップを含む。
【００１３】
第1の態様または第1の態様の第1から第5の可能な実施のいずれか1つを参照して、第1の態様の第6の可能な実施では、第1の通信モードはPC5通信モードであり、第2の通信モードはUu通信モードであるか、または、第1の通信モードはUu通信モードであり、第2の通信モードはPC5通信モードである。
【００１４】
第1の態様または第1の態様の第1から第6の可能な実施のいずれか1つを参照して、第1の態様の第7の可能な実施では、第1の端末デバイスおよび第2の端末デバイスは同じ端末デバイスであるか、または、第1のV2Xサービスと第2のV2Xサービスは同じサービスである。
【００１５】
第1の態様または第1の態様の第1から第7の可能な実施のいずれか1つを参照して、第1の態様の第8の可能な実施では、第1の更新許可パラメータはモード指示を含み、モード指示は、第2の端末デバイスの上位層アプリケーションに、第2のV2Xサービスの通信モードが第2の通信モードに切り替えられるよう指示するために使用される。
【００１６】
第2の態様によれば、本願は、他の通信モード切り替え方法を提供し、方法は、モード切り替え指示を取得するステップと、モード切り替え指示に含まれる情報に基づいて、第1の通信モードから第2の通信モードに切り替えられる必要がある第2のV2Xサービス、および第2のV2Xサービスが属する第2の端末デバイスを決定するステップと、第1の更新許可パラメータを第2の端末デバイスに送信するステップであって、第1の更新許可パラメータは、第2の端末デバイスに、第2のV2Xサービスの通信モードを第1の通信モードから第2の通信モードに切り替えるよう指示するために使用される、ステップとを含む。
【００１７】
第2の態様を参照して、第2の態様の第1の可能な実施では、モード切り替え指示に含まれる情報に基づいて、第1の通信モードから第2の通信モードに切り替えられる必要がある第2のV2Xサービスと、第2のV2Xサービスが属する第2の端末デバイスとを決定するステップは、モード切り替え指示から取得したデバイス識別子に基づいて第2の端末デバイスを決定するステップと、モード切り替え指示から取得したサービス識別子に基づいて第2のV2Xサービスを決定するステップと、モード切り替え指示から取得した第1の切り替えコマンドに基づいて、第2の通信モードを決定するステップとを含む。
【００１８】
第2の態様の第1の可能な実施を参照して、第2の態様の第2の可能な実施では、方法は、モード切り替え指示から切り替え識別子を取得するステップと、切り替え識別子と切り替え識別子に対応する切り替え記録とを保存するステップとを更に含む。
【００１９】
第2の態様または第2の態様の第1の可能な実施を参照して、第2の態様の第3の可能な実施では、第1の更新許可パラメータを第2の端末デバイスに送信するステップの後、方法は、モード復元指示を取得するステップであって、モード復元指示は、V2X制御機能に、第2のV2Xサービスの通信モードを第1の通信モードに復元するよう指示するために使用される、ステップと、モード復元指示に含まれる情報に基づいて、第2の通信モードから切り替えられ第1の通信モードに戻される必要がある第2のV2Xサービスと、第2のV2Xサービスが属する第2の端末デバイスとを決定するステップと、第2の更新許可パラメータを第2の端末デバイスに送信するステップであって、第2の更新許可パラメータは、第2の端末デバイスに、第2のV2Xサービスの通信モードを第2の通信モードから切り替えて第1の通信モードに戻すよう指示するために使用される、ステップとを更に含む。
【００２０】
第2の態様の第3の可能な実施を参照して、第2の態様の第4の可能な実施では、モード復元指示に含まれる情報に基づいて、第2の通信モードから切り替えられ第1の通信モードに戻される必要がある第2のV2Xサービスと、第2のV2Xサービスが属する第2の端末デバイスとを決定するステップは、モード復元指示から切り替え識別子およびデバイス識別子を取得するステップと、切り替え識別子に対応するサービス識別子および通信モードを取得するステップと、モード復元指示から取得されたデバイス識別子に基づいて第2の端末デバイスを決定するステップと、切り替え識別子に対応するサービス識別子に基づいて第2のV2Xサービスを決定するステップと、切り替え識別子に対応する通信モードに基づいて第2の通信モードを決定するステップとを含む。
【００２１】
第2の態様または第2の態様の第1から第4の可能な実施のいずれか1つを参照して、第2の態様の第5の可能な実施では、第1の更新許可パラメータはモード指示を含み、モード指示は、端末デバイスの上位層アプリケーションに、第2のV2Xサービスの通信モードが一緒に第2の通信モードに切り替えられるよう指示するために使用される。
【００２２】
第3の態様によれば、本願は更に他の通信モード切り替え方法を提供し、方法は、第1の更新許可パラメータを受信するステップと、第1の更新許可パラメータの指示に従って、第2のV2Xサービスの通信モードを第1の通信モードから第2の通信モードに切り替えるステップであって、第2の通信モードは第1の通信モードとは異なる、ステップとを含む。
【００２３】
第3の態様を参照して、第3の態様の第1の可能な実施では、方法は、第1の更新許可パラメータを受信するステップの前に、測定報告を送信するステップであって、測定報告がイベント指示情報を含み、イベント指示情報は、第1の通信モードの無線リソースが、第1の通信モードを使用することによって第1の端末によって第1のV2Xサービスを送信する送信要件を満たすことができないことを指示するために使用される、ステップを更に含む。測定報告を送信するステップは、測定構成における構成された報告期間に基づいて、測定報告を定期的に報告するステップ、または、測定構成における構成されたトリガ条件が満たされたときに測定報告を報告するステップを含む。
【００２４】
第3の態様または第3の態様の第1の可能な実施に関して、第3の態様の第2の可能な実施では、方法は、第1の更新許可パラメータを受信するステップの後、第1の更新許可パラメータからモード指示を取得するステップであって、モード指示は、端末デバイスの上位層アプリケーションに、第2のV2Xサービスの通信モードが一緒に第2の通信モードに切り替えられるよう指示するために使用される、ステップを更に含む。
【００２５】
第3の態様の第2の可能な実施に関して、第3の態様の第3の可能な実施では、方法は、第2の通信モードに対応する通信モジュールを使用することによって第2のV2Xサービスを送信するステップを更に含む。
【００２６】
第3の態様または第3の態様の第1から第3の可能な実施のいずれか1つに関して、第3の態様の第4の可能な実施では、方法は、第2のV2Xサービスの通信モードを第1の通信モードから第2の通信モードに切り替えるステップの後、第2の更新許可パラメータを受信するステップと、第2の更新許可パラメータの指示に従って、第2のV2Xサービスの通信モードを切り替えて第2の通信モードから第1の通信モードに戻すステップとを含む。
【００２７】
第4の態様によれば、本願は、通信モード切り替え装置を更に提供し、装置は、受信ユニット、処理ユニットおよび送信ユニットなど、第1の態様または第1の態様の実施における方法ステップを指示するように構成されたユニットモジュールを含む。受信ユニットは、第1の端末デバイスによって送信された測定報告を受信するように構成される。処理ユニットは、測定報告がイベント指示情報を含む場合、第2の端末デバイスの、第1の通信モードから第2の通信モードに切り替えられる必要がある第2のV2Xサービスを決定するように構成され、イベント指示情報は、第1の通信モードの無線リソースが、第1の通信モードを使用することによって第1の端末によって第1のV2Xサービスを送信する送信要件を満たすことができず、第2の通信モードは第1の通信モードとは異なることを指示するために使用される。送信ユニットは、モード切り替え指示をV2X制御機能に送信するか、または第1の更新許可パラメータを第2の端末デバイスに送信し、モード切り替え指示は、V2X制御機能に、第2の端末デバイスの第2のV2Xサービスの通信モードを第2の通信モードに切り替えるよう指示するために使用され、第1の更新許可パラメータは、第2の端末デバイスに、第2のV2Xサービスの通信モードを第2の通信モードに切り替えるよう指示するために使用される、ように構成される。受信ユニット、処理ユニット、送信ユニット等は、通信モード切り替え装置のプロセッサ、メモリ、通信モジュールによって実現されてもよい。
【００２８】
第5の態様によれば、本願は、他の通信モード切り替え装置を更に提供し、装置は、受信ユニット、処理ユニットおよび送信ユニットなど、第2の態様または第2の態様の実施における方法ステップを指示するように構成されたユニットモジュールを含む。受信ユニットは、モード切り替え指示を取得するように構成される。処理ユニットは、モード切り替え指示に含まれる情報に基づいて、第1の通信モードから第2の通信モードに切り替えられる必要がある第2のV2Xサービスと、第2のV2Xサービスが属する第2の端末デバイスとを決定するように構成される。送信ユニットは、第1の更新許可パラメータを第2の端末デバイスに送信し、第1の更新許可パラメータは、第2の端末デバイスに、第2のV2Xサービスの通信モードを第1の通信モードから第2の通信モードに切り替えるよう指示するために使用される、ように構成される。受信ユニット、処理ユニット、送信ユニット等は、通信モード切り替え装置のプロセッサ、メモリ、通信モジュールによって実現されてもよい。
【００２９】
第6の態様によれば、本願は、他の通信モード切り替え装置を更に提供し、装置は、受信ユニット、処理ユニットおよび送信ユニットなど、第3の態様または第3の態様の実施における方法ステップを指示するように構成されたユニットモジュールを含む。受信ユニットは、第1の更新許可パラメータを受信するように構成される。処理ユニットは、第1の更新許可パラメータの指示に従って、第2のV2Xサービスの通信モードを第1の通信モードから第2の通信モードに切り替え、第2の通信モードは第1の通信モードとは異なるように構成される。受信ユニット、処理ユニット、送信ユニット等は、通信モード切り替え装置のプロセッサ、メモリ、通信モジュールによって実現されてもよい。
【００３０】
第7の態様によれば、本願は、通信デバイスを更に提供し、通信デバイスは、プロセッサ、通信モジュールおよびメモリを含み得る。メモリは命令を保存し、プロセッサは以下の機能を実施するために命令を実行してもよい。通信モジュールは、第1の端末デバイスによって送信された測定報告を受信するように構成される。プロセッサは、測定報告がイベント指示情報を含む場合、第2の端末デバイスの、第1の通信モードから第2の通信モードに切り替えられる必要がある第2のV2Xサービスを決定するように構成され、イベント指示情報は、第1の通信モードの無線リソースが、第1の通信モードを使用することによって第1の端末によって第1のV2Xサービスを送信する送信要件を満たすことができず、第2の通信モードは第1の通信モードとは異なることを指示するために使用される。通信モジュールは、モード切り替え指示をV2X制御機能に送信するか、または第1の更新許可パラメータを第2の端末デバイスに送信し、モード切り替え指示は、V2X制御機能に、第2の端末デバイスの第2のV2Xサービスの通信モードを第2の通信モードに切り替えるよう指示するために使用され、第1の更新許可パラメータは、第2の端末デバイスに、第2のV2Xサービスの通信モードを第2の通信モードに切り替えるよう指示するために使用される、ように構成される。あるいは、次の機能を実施することもできる。通信モジュールは、モード切り替え指示を取得するように構成される。プロセッサは、モード切り替え指示に含まれる情報に基づいて、第1の通信モードから第2の通信モードに切り替えられる必要がある第2のV2Xサービスと、第2のV2Xサービスが属する第2の端末デバイスとを決定するように構成される。通信モジュールは、第1の更新許可パラメータを第2の端末デバイスに送信するように更に構成され、第1の更新許可パラメータは、第2の端末デバイスに、第2のV2Xサービスの通信モードを第1の通信モードから第2の通信モードに切り替えるよう指示するために使用される。
【００３１】
第8の態様によれば、本願は、端末デバイスを更に提供し、端末デバイスは、プロセッサ、通信モジュールおよびメモリを含み得る。メモリは命令を保存し、プロセッサは以下の機能を実施するために命令を実行してもよい。通信モジュールは、第1の更新許可パラメータを受信するように構成される。プロセッサは、第1の更新許可パラメータの指示に従って、第2のV2Xサービスの通信モードを第1の通信モードから第2の通信モードに切り替え、第2の通信モードは第1の通信モードとは異なるように構成される。
【００３２】
第9の態様によれば、本願は更に通信システムを提供する。通信システムは、前述の態様において、V2X制御機能、PC5−Uuリソーススケジューリング機能、第1の端末デバイス、第2の端末デバイス、または通信モード切り替え装置のいずれか1つまたは任意の組み合わせを含んでもよい。
【００３３】
第10の態様によれば、本願は、コンピュータ可読記憶媒体を更に提供する。コンピュータ可読記憶媒体は命令を保存し、命令がコンピュータで実行されると、コンピュータは前述の態様で説明された方法のすべてまたはいくつかのステップを実行できるようになる。
【００３４】
第11の態様によれば、本願は、命令を含むコンピュータプログラム製品を更に提供し、コンピュータプログラム製品がコンピュータで実行されると、コンピュータは前述の態様で説明された方法を実行できる。
【００３５】
本願の方法、ネットワーク側デバイス、端末デバイス等によれば、第2のV2Xサービスの通信モードは第1の通信モードから第2の通信モードに切り替えられ、その結果、第1の通信モードを使用することによって第1のV2Xサービスを送信するために使用される無線リソースは、第1のV2Xサービスに対してスケジューリングされ得る。第1の通信モードがPC5通信モードである場合、リソースの輻輳、帯域幅の不足、または信号品質の低下など、V2V通信でのPC5インタフェースリソースの限られた量に起因するケースを減らすことができる。
【００３６】
本願の技術的解決策をより明確に説明するために、実施形態を説明するために必要な添付図面を以下に簡単に説明する。明らかに、当業者は、創造的な努力なしに、これらの添付図面から他の図面を得てもよい。
【図面の簡単な説明】
【００３７】
【図１】本願による通信システムの実施形態の概略構造図である。
【図２】本願による通信モード切り替え方法の一実施形態のフローチャートである。
【図３】本願による通信モード切り替え方法の他の実施形態のフローチャートである。
【図４】本願による通信モード切り替え方法の更に他の実施形態のフローチャートである。
【図５】本願によるネットワーク側デバイスの実施形態の概略構成図である。
【図６】本願による端末デバイスの実施形態の概略構成図である。
【図７】本願による通信モード切り替えに使用されるデバイスの実施形態の概略構造図である。
【発明を実施するための形態】
【００３８】
図1は、本願による通信システムの実施形態の概略構造図である。
【００３９】
図1に示すように、通信システムは、V2X制御機能（V2X control function）およびPC5−Uuリソーススケジューリング機能（PC5−Uu resource scheduling function）を含むV2X通信システムであり得る。PC5−Uuリソーススケジューリング機能は、V2X制御機能の一部またはV2X制御機能であってもよく、あるいはV2X制御機能から独立していてもよい。換言すれば、V2X制御機能は、同じネットワーク側デバイスに配置されてもよく、異なるネットワーク側デバイスに配置されてもよい。
【００４０】
特定の実施では、PC5−Uuリソーススケジューリング機能は、V2X制御機能に配置される場合、eNodeBとの外部インタフェースを有してもよく、V2X制御機能における他の機能モジュールとの内部インタフェースを有してもよい。PC5−Uuリソーススケジューリング機能は、あるいはeNodeBに配置されてもよい。eNodeBに配置される場合、PC5−Uuリソーススケジューリング機能は、V2X制御機能との外部インタフェースを有してもよい。PC5−Uuリソーススケジューリング機能は、あるいは、通信システム内の他のネットワーク要素に配置されてもよい。通信システム内の他のネットワーク要素に配置される場合、PC5−Uuリソーススケジューリング機能は、eNodeBおよびV2X制御機能の両方との外部インタフェースを有していてもよい。
【００４１】
車両のインターネット制御機能エンティティおよびPC5−Uuリソーススケジューリング機能に加えて、通信システムは、少なくとも1つの端末デバイスを更に含み得る。端末デバイスは、車両などの車両のインターネット端末デバイスであってもよく、または他のモバイル端末であってもよい。これは、本願では制限されない。
【００４２】
端末デバイスは、少なくとも第1の通信モードまたは第2の通信モードを使用することによって互いに通信することができる。第1の通信モードは第2の通信モードとは異なり、2つの通信モードは異なる無線リソースを使用する。通常、第1の通信モードと第2の通信モードは異なるインタフェースを使用する。例えば、第1の通信モードがPC5通信モードである場合、第2の通信モードはUu通信モードであってもよく、また、第1の通信モードがUu通信モードである場合、第2の通信モードはPC5通信モードであってもよい。Uu通信モードでは、LTE−Uuインタフェースを使用することによって通信が行われ、PC5通信モードでは、PC5インタフェースを使用することによって通信が行われる。
【００４３】
図2は、本願による通信モード切り替え方法の一実施形態の概略フローチャートである。以下では、PC5−Uuリソーススケジューリング機能がV2X制御機能から独立している例を使用することによって、図2を参照して本願について説明する。
【００４４】
ステップ201では、PC5−Uuリソーススケジューリング機能は、第1の端末デバイスがネットワークにアクセスするプロセスにおいて、リソース測定構成を第1の端末デバイスに配信する。
【００４５】
測定構成は、第1の端末デバイスが無線リソースを測定する測定方法を構成するために使用される。無線リソースは、第1の端末デバイスによる第1のV2Xサービスの送信に利用可能である。測定構成は、測定対象（measurement object）、測定期間（measurement period）、測定イベント（measurement event）、閾値パラメータ（threshold parameter）などの情報を含んでもよい。測定構成は、端末デバイスが測定報告を報告する必要がある条件を指示するために使用される報告期間またはトリガ条件などの報告条件情報を更に含んでもよい。
【００４６】
ステップ202では、第1のV2Xサービスを開始するとき、第1の端末デバイスは、測定構成に基づいて測定を行う。
【００４７】
第1の端末デバイスが第1のV2Xサービスを開始する必要があり、第1の通信モードを使用することによって第1のV2Xサービスを送信する必要がある場合、第1の端末デバイスは測定構成に基づいて対象無線リソースを測定してもよい。対象無線リソースは、第1の通信モードを使用することによって第1のV2Xサービスを送信するために割り当てられた無線リソース、または第1の通信モードを使用することによって第1のV2Xサービスを送信するために使用できる無線リソースである。要するに、対象無線リソースは、第1の通信モードの無線リソースであり得る。実際の使用において、対象無線リソースは、第1の通信モードを使用することによって、第1のV2Xサービス通信モードを含む複数のサービスを送信するために割り当てられた無線リソースであり得る。あるいは、対象無線リソースは、第1の通信モードを使用することによって、第1の端末デバイス通信モードのすべてのV2Xサービスを送信するために割り当てられた無線リソースであってもよい。これは、本願では制限されない。
【００４８】
通常、様々な適用シナリオおよび様々な第1のV2Xサービスに応じて、対象無線リソースのタイプも異なる。通常、対象無線リソースは、PC5インタフェースを使用することによってデータを送信するために必要な無線リソースであってもよく、またはUuインタフェースを使用することによって通信を実行するために必要な無線リソースであってもよく、または他のインタフェースを使用することによってデータを送信するために必要な無線リソースであってもよい。V2X通信システムでは、対象無線リソースは通常、PC5インタフェースを使用することによってデータを送信するために使用する必要がある無線リソースであってもよい。
【００４９】
例えば、PC5通信モードを使用することによって第1のV2Xサービスのデータが送信されることが事前に決定されている場合、第1のV2Xサービスを開始するとき、第1の端末デバイスは、測定構成に基づいて、PC5通信モードを使用することによってデータを送信するために使用される無線リソースを測定してもよい。
【００５０】
ステップ203では、第1の端末デバイスは、測定報告をPC5−Uuリソーススケジューリング機能に報告する。
【００５１】
第1の端末デバイスは、対象無線リソースの測定結果に基づいて測定報告を生成してもよく、次いで、測定報告をPC5−Uuリソーススケジューリング機能に送信してもよい。第1の端末デバイスは、報告条件情報により示される報告条件が満たされたときに測定報告を報告してもよい。例えば、第1の端末デバイスは、測定構成における構成された報告期間に基づいて、測定報告を定期的に報告してもよく、または、測定構成の構成されたトリガ条件が満たされたときに測定報告を報告してもよい。
【００５２】
対象無線リソースが第1のV2Xサービスのデータ送信要件を満たすことができない場合、測定報告はイベント指示情報を含んでもよい。具体的には、イベント指示情報は、第1の通信モードの無線リソースが、第1の通信モードを使用することによって第1の端末による第1のV2Xサービスを送信する送信要件を満たすことができないことを指示するために使用され得る。
【００５３】
対象無線リソースが、第1の通信モードを使用することによって第1の端末によって第1のV2Xサービスを送信するデータ送信要件を満たすことができない複数のケースがあり得る。特に、以下のケース、すなわち、第1の通信モードを使用することによって第1のV2Xサービスを送信するために利用できる無線リソースがないケース、または、第1の通信モードを使用することによって第1のV2Xサービスを送信するために使用できる無線リソースの量が少なすぎるか、または信号品質が低すぎて、その結果、第1のV2Xサービスの送信要件を満たすことができないケース等が含まれ得る。
【００５４】
第1の通信モードはPC5通信モードまたはUu通信モードであってもよいため、対象無線リソースは、PC5通信モードを使用することによって第1のV2Xサービスを送信するために必要な無線リソースであってもよく、またはUu通信モードを使用することによって第1のV2Xサービスを送信するために必要な無線リソースであってもよい。従って、対象無線リソースの不足は、PC5インタフェースを使用した通信に必要な無線リソースが不足しているか、またはUuインタフェースを使用した通信に必要な無線リソースが不足していることでありうる。従って、イベント指示情報は、対象無線リソースの不足のみを指示するために使用されてもよく、対象無線リソースが不十分であることを指示することに加えて、対象無線リソースが属する無線リソースのタイプを示してもよい。
【００５５】
イベント指示情報の特定の内容および時間指示情報によって識別される意味は、事前に決定されてもよい。例えば、イベント指示情報は、イベントP1（event P1）であってもよい。実際の適用では、対象無線リソースが、PC5通信モードを使用することによって第1のV2Xサービスを送信するために必要な無線リソースであるか、Uu通信モードを使用することによって第1のV2Xサービスを送信するために必要な無線リソースであるかにかかわらず、対象無線リソースの不足はevent P1によって示される。あるいは、event P1は、PC5インタフェースを使用することによって第1のV2Xサービスを送信するために必要な無線リソースが不足していることを指示するために使用されてもよく、他のイベント指示情報は、Uuインタフェースまたは他のインタフェースを使用することによって第1のV2Xサービスを送信するために必要な無線リソースが不十分であることを指示するために使用される。これは、本願では制限されない。
【００５６】
イベント指示情報に加えて、測定報告は、第1の端末デバイスのデバイス識別子と、第1のV2Xサービスのサービス識別子（service ID）とを含み得る。サービス識別子は1つのサービスを一意に識別し、デバイス識別子は1つの端末デバイスを一意に識別する。従って、測定報告は、第1の端末デバイスのデバイス識別子と第1のV2Xサービスのサービス識別子を含み、その結果、PC5−Uuリソーススケジューリング機能および通信システム内の他のデバイスまたは機能は、どの端末デバイスが第1の端末デバイスであり、どのサービスが第1のV2Xサービスであるかを決定しうる。
【００５７】
例えば、第1の端末デバイスのデバイス識別子はVehicle Aであり、第1のV2Xサービスのサービス識別子は12であり、第1のV2XサービスのデータはPC5通信モードを使用することによって送信されることが予め定められている。第1の端末デバイスが、第1のV2Xサービスを開始するときの測定により、PC5通信モードを使用することによって第1のV2Xサービスのデータを送信するために必要な無線リソースが不十分であることを見つけた場合、第1の端末デバイスは測定報告をPC5−Uuリソーススケジューリング機能に送信しうる。測定報告は、event P1、Vehicle A、12などの情報を含む。
【００５８】
ステップ204では、PC5−Uuリソーススケジューリング機能は、測定報告に基づいて、第1の通信モードから第2の通信モードに切り替えられる必要がある第2のV2Xサービスを決定する。
【００５９】
測定報告がイベント指示情報を含んでいる場合、PC5−Uuリソーススケジューリング機能は、測定報告に基づいて、対象無線リソースが不足していることを知ることがある。対象無線リソースが不十分であることを知った後、PC5−Uuリソーススケジューリング機能は、事前設定切り替えポリシに基づいて、第1の通信モードから第2の通信モードに切り替えられる必要がある第2のV2Xサービスと、第2のV2Xサービスが属する第2の端末デバイスとを決定してもよい。切り替えポリシは、無線リソース管理条件、V2XサービスのQoS、RSU配置条件等に基づいて決定できる。
【００６０】
PC5−Uuリソーススケジューリング機能は、端末デバイスのデータ送信優先度、V2Xサービスのデータ送信優先度、または第1の通信モードを使用するV2Xサービスのデータを送信する優先度などの情報に基づいて、第1の通信モードから第2の通信モードに切り替えられる必要がある第2のV2Xサービスと、第2のV2Xサービスが属する第2の端末デバイスとを決定してもよい。
【００６１】
例えば、PC5−Uuリソーススケジューリング機能は、第2の端末デバイスとして、データ送信優先度が第1の端末デバイスのデータ送信優先度よりも低い端末デバイスから1つを選択し、次に、第2のV2Xサービスとして、第2の端末デバイスのV2Xサービスから1つを選択してもよい。あるいは、PC5−Uuリソーススケジューリング機能は、第2の端末デバイスとして、第1の端末デバイスを直接使用することによって、次に第2のV2Xサービスとして、データが第1の通信モードを使用することによって送信され、そのデータ送信優先度が、第1のV2Xサービスのデータ送信優先度よりも低いV2Xサービスから1つを選択してもよい。あるいは、PC5−Uuリソーススケジューリング機能は、第1の端末デバイスを第2の端末デバイスとして直接使用し、第1のV2Xサービスを第2のV2Xサービスとして使用してもよい。
【００６２】
本願では、第2のV2Xサービスと第1のV2Xサービスは同じサービスであってもよいし、異なるサービスであってもよいことに留意されたい。第2のV2Xサービスと第1のV2Xサービスが異なるサービスである場合、第2のV2Xサービスと第1のV2Xサービスは異なる端末デバイスのサービスであってもよく、または同じ端末デバイスのサービスであってもよく、換言すれば、第1のV2Xサービスと第2のV2Xサービスは、第1の端末デバイスの異なるサービスであってもよい。
【００６３】
ステップ205では、PC5−Uuリソーススケジューリング機能は、モード切り替え指示をV2X制御機能に送信する。
【００６４】
V2Xサービスを送信するために端末デバイスによって使用される通信モードは、V2X制御機能によって許可および調整される。従って、第2の端末デバイスおよび第2のV2Xサービスを決定した後、PC5−Uuリソーススケジューリング機能は、モード切り替え指示（mode switch notify）をV2X制御機能に送信することができる。
【００６５】
mode switch notifyは、V2X制御機能に第2のV2Xサービスの通信モードを切り替えるよう指示するために使用されてもよい。通常、モード切り替え指示は、V2X制御機能に第1の更新許可パラメータを第2の端末デバイスに送信するよう指示するために使用され、その結果、第1の更新許可パラメータを使用して第2のV2Xサービスの通信モードを調整してもよい。
【００６６】
V2X制御機能が第2のV2Xサービスの通信モードを切り替えることが可能となるよう、モード切り替え指示は、第2の端末デバイスのデバイス識別子、第2のV2Xサービスのservice ID、および第1の切り替えコマンドなどの情報を含んでもよい。第1の切り替えコマンドは、第2のV2Xサービスの通信モードを第2の通信モードに切り替えるよう指示するために使用される。第1の切り替えコマンドの特定の内容は、異なる第2の通信モードによって異なる場合がある。
【００６７】
モード切り替え指示に含まれる情報により、V2X制御機能は、どの端末デバイスが第2の端末デバイスであるか、どのサービスが第2のV2Xサービスであるか、および、切り替えられる必要がある第2のV2Xサービスの通信モードを知ることができる。第1の切り替えコマンドは、第2のV2Xサービスの通信モードを切り替えられる必要がある通信モードのみを指示するために使用でき、第2のV2Xサービスの現在の通信モードを指示する必要はない。例えば、第1の切り替えコマンドはPC5−Uuであってもよく、第2のV2Xサービスの通信モードをPC5通信モードからUu通信モードに切り替えるよう指示するために特に使用される。あるいは、第1の切り替えコマンドはUu−PC5であってもよく、特に、第2のV2Xサービスの通信モードをUu通信モードからPC5通信モードに切り替えるよう指示するために使用される。あるいは、第1の切り替えコマンドはUuであってもよく、第2のV2Xサービスの通信モードを現在のモードからUu通信モードに切り替えるよう指示するために使用される。
【００６８】
第2の端末デバイスのデバイス識別子、第2のV2Xサービスのservice ID、および第1の切り替えコマンドに加えて、モード切り替え指示は、切り替え識別子（switch ID）を更に含んでもよく、切り替え識別子は、現在のモード切り替えの関連情報を指示するために使用されうる。例えば、切り替え識別子は切り替え記録を指示するために使用され、切り替え記録は、第2のV2Xサービスのサービス識別子および第1の切り替えコマンド、検出継続時間、第2のV2Xサービスの通信モードが第1の通信モードから第2の通信モードに切り替わる切り替え時点などを記録するために使用される。V2X制御機能とPC5−Uuリソーススケジューリング機能の両方は、切り替え識別子と切り替え識別子に対応する切り替え記録を保存できる。
【００６９】
切り替え識別子は、第2の端末デバイスに対して一意であってもよい。具体的には、第2の端末デバイスは、V2Xサービスの通信モードが切り替えられるたびに、1つの切り替え識別子に一意に対応する。切り替え識別子を使用することによって、PC5−Uuリソーススケジューリング機能またはV2X制御機能は、第2のV2Xサービスのservice IDおよび第1の切り替えコマンドなどの情報を取得しうる。切り替え識別子は、通信システムに対してグローバルに一意であってもよい。具体的には、通信システムでは、各端末デバイスは、モードが切り替えられるたびに1つの切り替え識別子に一意に対応する。切り替え識別子が通信システムに対してグローバルに一意であり得る場合、切り替え記録は、第2の端末デバイスのデバイス識別子と、第1の端末デバイスのデバイス識別子情報とを更に含み得る。切り替え識別子を使用することによって、V2X制御機能およびPC5−Uuリソーススケジューリング機能は、第2の端末デバイスのデバイス識別子、第2のV2Xサービスのservice IDおよび第1の切り替えコマンドなどの関連情報を取得できる。
【００７０】
例えば、第2の端末デバイスのデバイス識別子がVehicle B、第2のV2Xサービスのサービス識別子が11、第1の切り替えコマンドがPC5−Uu、および現在のモード切り替えの切り替え識別子がswitch 1の場合、モード切り替え指示は、Vehicle B、11、PC5−Uu、およびswitch 1を含んでもよいか、または、Vehicle B、11、およびPC5−Uuのみを含んでもよい。
【００７１】
ステップ206では、V2X制御機能は、第1の更新許可パラメータを第2の端末デバイスに送信する。
【００７２】
PC5−Uuリソーススケジューリング機能によって送信されたモード切り替え指示を受信した後、V2X制御機能は、モード切り替え指示に基づいて第2の端末デバイスおよび第2のV2Xサービスを決定し、第1の更新許可パラメータを生成し得る。次に、V2X制御機能は、第1の更新許可パラメータを第2の端末デバイスに送信し、その結果、第2の端末デバイスは、更新許可パラメータの指示に従って第2のV2Xサービスの通信モードを第2の通信モードに切り替える。第1の更新許可パラメータは、第2の端末デバイスに、第2のV2Xサービスの通信モードを元の通信モードから第2の通信モードに切り替えるよう指示するために使用されてもよい。
【００７３】
例えば、V2X制御機能は、モード切り替え指示から取得したデバイス識別子に基づいて第2の端末デバイスを決定し、モード切り替え指示から取得したサービス識別子に基づいて第2のV2Xサービスを決定し、モード切り替え指示から取得した第1の切り替えコマンドに基づいて第2の通信モードを決定する。
【００７４】
例として、3GPP TS24．386で指定されている許可パラメータ形式を使用する。V2XoverPC5パラメータ項目のAuthorizedV2XServiceListは、PC5通信モードを使用することによって送信する必要があるすべてのV2Xサービスを指示するために使用され、V2XoverLTEUuパラメータ項目のAuthorizedV2XServiceListは、Uu通信モードを使用することによって送信する必要があるすべてのV2Xサービスを指示するために使用される。
【００７５】
従って、第2のV2Xサービスのservice IDが11で、第2のV2Xサービスに事前に割り当てられた第1の通信モードがPC5通信モードである場合、第2の端末デバイス用に事前構成された許可パラメータでは、V2XoverPC5パラメータ項目のAuthorizedV2XServiceListは第2のV2Xサービスのサービス識別子11を含み、V2XoverLTEUuパラメータ項目のAuthorizedV2XServiceListは、第2のV2Xサービスのサービス識別子11は含まない。
【００７６】
第2のV2Xサービスの通信モードをUu通信モードに切り替える必要がある場合、V2XoverPC5パラメータ項目のAuthorizedV2XServiceListに含まれる第2のV2Xサービスのサービス識別子11は、第1の更新許可パラメータを使用することによって削除される必要があり、第2のV2Xサービスのサービス識別子11は、V2XoverLTEUuパラメータ項目のAuthorizedV2XServiceListに追加される必要がある。
【００７７】
モード切り替え指示が切り替え識別子を更に含む場合、V2X制御機能は、切り替え識別子とデバイス識別子、サービス識別子、およびモード切り替え指示に含まれる第1の切り替えコマンドとの間の対応を更に保存してもよく、換言すれば、V2X制御機能は、モード切り替え指示と第2の端末デバイスのデバイス識別子、第2のV2Xサービスのサービス識別子、および第1の切り替えコマンドとの間の対応を更に保存することができる。
【００７８】
3GPPプロトコルは、端末デバイスの上位層アプリケーションがV2Xサービスに使用される通信モードを決定することを指定する。しかし、端末デバイスの上位層アプリケーションは、V2Xサービスのデータ送信に対して実際に許可されている通信モードを知ることができない。従って、第2のV2Xサービスの通信モードを第2の通信モードに切り替えた後、第2の端末デバイスは、第2のV2Xサービスのサービス許可プロセスを再び開始する。例えば、第2の端末デバイスのアプリケーション層が第2のV2Xサービスを送信するためにPC5モードを使用すると決定したが、第2のV2Xサービスの通信モードがPC5通信モード以外の他の通信モードに切り替えられた場合、第2の端末デバイスは、第2のV2Xサービスを送信するプロセスで許可パラメータを照会してもよく、許可パラメータは照会されることはできない。許可パラメータが照会されることができない場合、第2の端末デバイスは第2のV2Xサービスのサービス許可プロセスを再度開始する。
【００７９】
第2の端末デバイスが第2のV2Xサービスに対するサービス許可を再び開始するのを防ぐために、第1の更新許可パラメータは、パラメータ項目であるモード指示（ModeIndication）を更に含み、端末デバイスの上位層アプリケーションに、第2のV2Xサービスの通信モードが第2の通信モードに切り替えられたことを指示しうる。ModeIndicationパラメータ項目は、UuIndicationやPC5Indicationなどの指示情報を含んでもよい。UuIndicationは、Uu通信モードを使用することによってデータが送信されるサービスを指示するために使用され、PC5Indicationは、PC5通信モードを使用することによってデータが送信されるサービスを指示するために使用される。ModeIndicationパラメータ項目は、V2XoverLTEUuパラメータ項目およびV2XoverPC5パラメータ項目よりも高い優先順位を有する。従って、第2の端末デバイスの上位層アプリケーションは、ModeIndicationパラメータ項目の指示に従って、第2のV2Xサービスのサービスデータを送信するための第2の通信モードに対応する送信モジュールを呼び出し、V2XoverLTEUuパラメータ項目またはV2XoverPC5パラメータ項目の指示に従う送信モジュールをもはや呼び出さない場合がある。
【００８０】
例えば、第2のV2Xサービスの通信モードがUu通信モードに切り替えられた場合、UuIndicationは第2のV2Xサービスのサービス識別子11を含んでもよく、PC5Indicationは第2のV2Xサービスのサービス識別子11を含まない場合がある。
【００８１】
モード切り替え後、第2のV2Xサービスによって実際に使用される通信モードは、第2の端末デバイスによって決定される通信モードとは異なる。従って、第2のV2Xサービスの通信モードが第1の通信モードから第2の通信モードに切り替えられた後、所定の条件が満たされた場合、第2のV2Xサービスの通信モードは更に切り替えられて第1の通信モードに戻されてもよい。
【００８２】
PC5−Uuリソーススケジューリング機能は、前述の実施形態と同様の方法で、第2のV2Xサービスの通信モードを切り替えて第2の通信モードから第1の通信モードに戻してもよい。第2のV2Xサービスの通信モードを切り替えて第2の通信モードから第1の通信モードに戻すことは、前述の実施形態のモード切り替えプロセスで実施されてもよく、またはモード復元指示を送信することにより実施されてもよい。以下では、モード復元指示を送信することにより、第2のV2Xサービスの通信モードを切り替えて第2の通信モードから第1の通信モードに戻すことについて更に説明する。
【００８３】
図3は、本願による通信モード切り替え方法の他の実施形態のフローチャートである。図3に示すように、ステップ206の後、方法は更に以下のステップを含みうる。
【００８４】
ステップ207では、PC5−Uuリソーススケジューリング機能は、モード復元指示をV2X制御機能に送信する。
【００８５】
所定の条件が満たされた場合、PC5−Uuリソーススケジューリング機能は、モード復元指示をV2X制御機能に送信してもよい。モード復元指示は、削除モード切り替え要求（delete mode switch request）であってもよい。所定の条件は、第1のV2Xサービスのデータが検出継続時間を超える時間送信されないことであり得る。検出継続時間は、PC5−Uuリソーススケジューリング機能がモード切り替え指示をV2X制御機能に送信する前に、PC5−Uuリソーススケジューリング機能によって決定されてもよい。検出継続時間は、異なる第1のV2Xサービスによって変わる場合がある。検出継続時間はまた他の方法で設定されうる。例えば、検出継続時間はまた通信システムによって事前に設定されうる。
【００８６】
第2のV2Xサービスの通信モードを第1の通信モードから第2の通信モードに切り替えた後、PC5−Uuリソーススケジューリング機能はタイマを開始してもよく、タイマの継続時間は検出継続時間であり得る。第2のV2Xサービスの通信モードを第1の通信モードから第2の通信モードに切り替えた後、第1のV2Xサービスのデータが検出継続時間を超える時間送信されない場合、またはデータが送信されても、第1のV2Xサービスのデータが検出継続時間が終了した後に再送信されない場合、PC5−Uuリソーススケジューリング機能は、モード復元指示をV2X制御機能に送信する。
【００８７】
モード復元指示は、第2の端末デバイスのデバイス識別子、第2のV2Xサービスのservice ID、第2の切り替えコマンド等を含みうる。第2の切り替えコマンドは、第2のV2Xサービスの通信モードを切り替えて第1の通信モードに戻すよう指示するために使用される。あるいは、切り替え識別子が通信システムに対してグローバルに一意である場合、モード復元指示は切り替え識別子のみを含んでもよい。切り替え識別子が第2の端末デバイスに対して一意である場合、モード復元指示は、切り替え識別子および第2の端末デバイスのデバイス識別子を含み得る。ここで、第2の切り替えコマンドは、内容のみが第1の切り替えコマンドと異なるため、第2の切り替えコマンドについては再度詳細に説明しないことに留意されたい。関連する部分については、第1の切り替えコマンドの関連する内容を参照されたい。
【００８８】
ステップ208では、V2X制御機能は、第2の更新許可パラメータを第2の端末デバイスに送信する。
【００８９】
PC5−Uuリソーススケジューリング機能によって送信されたモード復元指示を受信した後、V2X制御機能は、モード復元指示に基づいて第2の端末デバイスおよび第2のV2Xサービスを決定し、第2の更新許可パラメータを生成する。次に、V2X制御機能は、第2の更新許可パラメータを第2の端末デバイスに送信し、その結果、第2の端末デバイスは、更新許可パラメータの指示に従って第2のV2Xサービスの通信モードを切り替えて第1の通信モードに戻す。
【００９０】
V2X制御機能は、モード復元指示から切り替え識別子およびデバイス識別子を取得してもよく、切り替え識別子に対応するサービス識別子および通信モードを保存された切り替え記録から取得してもよく、モード復元指示から取得されたデバイス識別子に基づいて第2の端末デバイスを決定してもよく、切り替え識別子に対応するサービス識別子に基づいて第2のV2Xサービスを決定してもよく、切り替え識別子に対応する通信モードに基づいて第2の通信モードを決定してもよい。本明細書では、第2の端末デバイスのデバイス識別子は、モード復元指示からV2X制御機能によって代替的に取得され得ることに留意されたい。
【００９１】
例えば、モード復元指示がVehicle B、11、およびUu−PC5を含む場合、V2X制御機能は、サービス識別子が11であるサービスの通信モードが、端末デバイス識別子がVehicle Bである端末デバイス上で、Uu通信モードからPC5通信モードに復元される必要があることを決定してもよい。他の例では、モード復元指示がswitch 1を含む場合、V2X制御機能はswitch 1における対応するモード切り替えを照会してもよく、モードスイッチに対応するデバイス識別子、サービス識別子および第2の切り替えコマンドを更に取得して、特定の端末、復元する必要がある端末デバイスのサービス、サービスの元の通信モード、およびサービスが復元される必要がある通信モードを決定してもよい。
【００９２】
本明細書では、モード復元指示を生成および送信する方法はモード切り替え指示を生成および送信する方法と同様であるため、モード復元指示を生成および送信する特定のプロセスについてはここでは再度説明しないことに留意されたい。同様の部分については、モード切り替え指示の生成および送信の関連する内容を参照されたい。同様に、第2の更新許可パラメータを生成および送信する方法は、第1の更新許可パラメータを生成および送信する方法と同様である。従って、第2の更新許可パラメータを生成および送信する特定のプロセスは、本明細書で再び説明されない。同様の部分については、第1の更新許可パラメータの生成および送信の関連する内容を参照されたい。詳細は本明細書では再度説明されない。モード復元指示が、第2の端末デバイスのデバイス識別子、第2のV2Xサービスのservice ID、および第2の切り替えコマンドを含む場合、第2V2Xサービスの通信モードは切り替えられて、第2の通信モードから第1の通信モードに戻され、これはまた、第2のV2Xサービスの通信モードの切り替えと見なすことができる。
【００９３】
この実施形態では、第2のV2Xサービスの通信モードは第1の通信モードから第2の通信モードに切り替えられ、その結果、第1の通信モードを使用することによって第1のV2Xサービスを送信するために使用される無線リソースは、第1のV2Xサービスに対してスケジューリングされ得る。第1の通信モードがPC5通信モードである場合、PC5インタフェースリソースの限られた量に起因するV2V通信におけるリソースの輻輳、帯域幅の不足、信号品質の低下等が低減される。
【００９４】
図4は、本願による通信モード切り替え方法の他の実施形態のフローチャートである。図4を参照して、PC5−Uuリソーススケジューリング機能がV2X制御機能の一部またはV2X制御機能である、換言すれば、PC5−Uuリソーススケジューリング機能とV2X制御機能が同じデバイスである例を使用することによって、本願を以下に説明する。
【００９５】
ステップ401では、V2X制御機能は、第1の端末デバイスがネットワークにアクセスするプロセスにおいて、リソース測定構成を第1の端末デバイスに配信する。
【００９６】
ステップ402では、第1のV2Xサービスを開始するとき、第1の端末デバイスは、測定構成に基づいて測定を行う。
【００９７】
ステップ403では、第1の端末デバイスは、測定報告をV2X制御機能に報告する。
【００９８】
ステップ404では、V2X制御機能は、測定報告に基づいて、第1の通信モードから第2の通信モードに切り替えられる必要がある第2のV2Xサービスを決定する。
【００９９】
本明細書では、ステップ401からステップ404の特定の内容については、ステップ201からステップ204を参照し、詳細は本明細書で再度説明されないことに留意されたい。
【０１００】
ステップ405では、V2X制御機能は、第1の更新許可パラメータを第2の端末デバイスに送信する。
【０１０１】
V2X制御機能が第2のV2Xサービスを決定するため、V2X制御機能は、第1の更新許可パラメータを第2の端末デバイスに直接送信できる。特定のプロセスについては、ステップ206を参照し、詳細はここでは再度説明しない。
【０１０２】
同様に、ステップ405の後、この方法は更に以下を含みうる。
【０１０３】
ステップ406では、V2X制御機能は、第2の更新許可パラメータを第2の端末デバイスに送信する。
【０１０４】
所定の条件が満たされた場合、V2X制御機能は、第2の更新許可パラメータを第2の端末デバイスに送信してもよい。第2の更新許可パラメータを送信する特定のプロセスについては、ステップ206およびステップ208を参照されたい。詳細は本明細書では再度説明されない。
【０１０５】
本願で提供される通信モード切り替え方法に対応して、本願は、通信モード切り替え装置、ネットワーク側デバイス、および端末デバイスを更に提供する。
【０１０６】
図5は、本願によるネットワーク側デバイスの実施形態の概略構成図である。ネットワーク側デバイスは、V2X制御機能を備えていてもよく、あるいは、PC5−Uuリソーススケジューリング機能を備えていてもよい。ネットワーク側デバイスは、前述の実施形態におけるV2X制御機能またはPC5−Uuリソーススケジューリング機能を用いて実施される通信モード切り替え方法を実施するように構成されていてもよい。
【０１０７】
図5に示すように、ネットワーク側デバイスは、受信ユニット501、処理ユニット502および送信ユニット503を含みうる。
【０１０８】
ネットワーク側デバイスがPC5−Uuリソーススケジューリング機能を備えている場合、受信ユニット501は、第1の端末デバイスによって送信された測定報告を受信するように構成され得る。処理ユニット502は、測定報告がイベント指示情報を含む場合、第2の端末デバイスの、第1の通信モードから第2の通信モードに切り替えられる必要がある第2のV2Xサービスを決定するように構成されてもよく、イベント指示情報は、第1の通信モードの無線リソースが、第1の通信モードを使用することによって第1の端末によって第1のV2Xサービスを送信する送信要件を満たすことができず、第2の通信モードは第1の通信モードとは異なることを指示するために使用されてもよい。送信ユニット503は、モード切り替え指示をV2X制御機能に送信するか、または第1の更新許可パラメータを第2の端末デバイスに送信し、モード切り替え指示は、V2X制御機能に、第2の端末デバイスの第2のV2Xサービスの通信モードを第2の通信モードに切り替えるよう指示するために使用され、第1の更新許可パラメータは、第2の端末デバイスに、第2のV2Xサービスの通信モードを第2の通信モードに切り替えるよう指示するために使用される、ように構成されてもよい。
【０１０９】
任意選択で、モード切り替え指示は、第2の端末デバイスのデバイス識別子、第2のV2Xサービスのサービス識別子および第1の切り替えコマンドを含む。第1の切り替えコマンドは、第2のV2Xサービスの通信モードを第1の通信モードから第2の通信モードに切り替えるよう指示するために使用される。
【０１１０】
任意選択で、モード切り替え指示は、切り替え識別子を更に含む。切り替え識別子は、切り替え記録を指示するために使用され、切り替え記録は、第2の端末デバイスのデバイス識別子、第2のV2Xサービスのサービス識別子および第1の切り替えコマンドを含む。
【０１１１】
任意選択で、送信ユニット503は、所定の条件が満たされた場合、モード復元指示をV2X制御機能に送信するか、または第2の端末デバイスに第2の更新許可パラメータを送信するように更に構成される。モード復元指示は、V2X制御機能に、第2のV2Xサービスの通信モードを第1の通信モードに復元するよう指示するために使用され、第2の更新許可パラメータは、第2の端末デバイスに、第2のV2Xサービスの通信モードを切り替えて第1の通信モードに戻すよう指示するために使用される。
【０１１２】
任意選択で、モード復元指示は、第2の端末デバイスのデバイス識別子、第2のV2Xサービスのサービス識別子および第2の切り替えコマンドを含む。あるいは、モード復元指示は切り替え識別子を含む。
【０１１３】
任意選択で、処理ユニット502は、第2のV2Xサービスの通信モードが第1の通信モードから第2の通信モードに切り替えられる検出継続時間を決定するように更に構成される。送信ユニット503は、第1のV2Xサービスのデータが検出継続時間を超える時間送信されない場合、モード復元指示をV2X制御機能に送信するか、または第2の更新許可パラメータを第2の端末デバイスに送信するように更に構成される。
【０１１４】
任意選択で、第1の通信モードがPC5通信モードであり、第2の通信モードがUu通信モードであるか、または、第1の通信モードがUu通信モードであり、第2の通信モードがPC5通信モードである。
【０１１５】
任意選択で、第1の端末デバイスと第2の端末デバイスは同じ端末デバイスであるか、または、第1のV2Xサービスと第2のV2Xサービスは同じサービスである。
【０１１６】
任意選択で、第1の更新許可パラメータはモード指示を含み、モード指示は、第2の端末デバイスの上位層アプリケーションに、第2のV2Xサービスの通信モードが第2の通信モードに切り替えられるよう指示するために使用される。
【０１１７】
ネットワーク側デバイスがV2X制御機能を備えている場合、受信ユニット501は、モード切り替え指示を取得するように構成される。処理ユニット502は、モード切り替え指示に含まれる情報に基づいて、第1の通信モードから第2の通信モードに切り替えられる必要がある第2のV2Xサービスと、第2のV2Xサービスが属する第2の端末デバイスとを決定するように構成される。送信ユニット503は、第1の更新許可パラメータを第2の端末デバイスに送信し、第1の更新許可パラメータは、第2の端末デバイスに、第2のV2Xサービスの通信モードを第1の通信モードから第2の通信モードに切り替えるよう指示するために使用される、ように構成される。
【０１１８】
任意選択で、処理ユニット502は、モード切り替え指示から取得したデバイス識別子に基づいて第2の端末デバイスを決定し、モード切り替え指示から取得したサービス識別子に基づいて第2のV2Xサービスを決定し、モード切り替え指示から取得した第1の切り替えコマンドに基づいて第2の通信モードを決定するように特に構成される。
【０１１９】
任意選択で、処理ユニット502は、モード切り替え指示から切り替え識別子を取得し、切り替え識別子および切り替え識別子に対応する切り替え記録を保存するように更に構成される。
【０１２０】
任意選択で、受信ユニット501は、モード復元指示を取得し、モード復元指示は、V2X制御機能に、第2のV2Xサービスの通信モードを第1の通信モードに復元するよう指示するために使用される、ように更に構成される。処理ユニット502は、モード復元指示に含まれる情報に基づいて、第2の通信モードから切り替えられ第1の通信モードに戻される必要がある第2のV2Xサービスと、第2のV2Xサービスが属する第2の端末デバイスとを決定するように更に構成される。送信ユニット503は、第2の更新許可パラメータを第2の端末デバイスに送信し、第2の更新許可パラメータは、第2の端末デバイスに、第2のV2Xサービスの通信モードを第2の通信モードから切り替えて第1の通信モードに戻すよう指示するために使用される、ように更に構成される。
【０１２１】
任意選択で、処理ユニット502は、モード復元指示から切り替え識別子およびデバイス識別子を取得し、切り替え識別子に対応するサービス識別子および通信モードを取得し、モード復元指示から取得されたデバイス識別子に基づいて第2の端末デバイスを決定し、切り替え識別子に対応するサービス識別子に基づいて第2のV2Xサービスを決定し、切り替え識別子に対応する通信モードに基づいて第2の通信モードを決定する、ように特に構成される。
【０１２２】
任意選択で、第1の更新許可パラメータはモード指示を含み、モード指示は、端末デバイスの上位層アプリケーションに、第2のV2Xサービスの通信モードが第2の通信モードに一緒に切り替えられるよう指示するために使用される。
【０１２３】
他の実施形態では、受信ユニット501は、第1の端末デバイスによって報告された測定報告を受信するように構成される。処理ユニット502は、測定報告に基づいて、第1の通信モードから第2の通信モードに切り替えられる必要がある第2のV2Xサービスを決定するように構成される。送信ユニット503は、第1の更新許可パラメータを第2の端末デバイスに送信するように構成される。任意選択で、送信ユニット503は、第2の更新許可パラメータを第2の端末デバイスに送信するように更に構成される。
【０１２４】
図6は、本願による端末デバイスの実施形態の概略構成図である。端末デバイスは、前述の実施形態のネットワーク側デバイスにより実施される通信モード切り替え方法を実施するように構成される。
【０１２５】
図6に示すように、端末デバイスは、受信ユニット601、処理ユニット602および送信ユニット603を含みうる。
【０１２６】
受信ユニット601は、第1の更新許可パラメータを受信するように構成され得る。処理ユニット602は、第1の更新許可パラメータの指示に従って、第2のV2Xサービスの通信モードを第1の通信モードから第2の通信モードに切り替え、第2の通信モードは第1の通信モードとは異なる、ように構成されてもよい。
【０１２７】
任意選択で、送信ユニット603は、測定報告を送信し、測定報告がイベント指示情報を含み、イベント指示情報は、第1の通信モードの無線リソースが、第1の通信モードを使用することによって第1の端末によって第1のV2Xサービスを送信する送信要件を満たすことができないことを指示するために使用される、ように構成される。送信ユニット603は、測定構成における構成された報告期間に基づいて、測定報告を定期的に報告する、または、測定構成における構成されたトリガ条件が満たされたときに測定報告を報告する、ように特に構成されてもよい。
【０１２８】
任意選択で、処理ユニット602は、第1の更新許可パラメータからモード指示を取得し、モード指示は、端末デバイスの上位層アプリケーションに、第2のV2Xサービスの通信モードが第2の通信モードに一緒に切り替えられるよう指示するために使用される、ように更に構成される。
【０１２９】
任意選択で、送信ユニット603は、第2の通信モードに対応する通信モジュールを使用することによって、第2のV2Xサービスを送信するように更に構成される。
【０１３０】
任意選択で、受信ユニット601は、第2の更新許可パラメータを受信するように更に構成される。送信ユニット603は、第2の更新許可パラメータの指示に従って、第2のV2Xサービスの通信モードを切り替えて第2の通信モードから第1の通信モードに戻すように更に構成される。
【０１３１】
図7は、本願による通信モード切り替えに使用されるデバイスの実施形態の概略構造図である。デバイスは、前述の実施形態におけるネットワーク側デバイスであってもよく、前述の実施形態における端末デバイスであってもよい。ネットワーク側デバイスは、V2X制御機能またはPC5−Uuリソーススケジューリング機能であってもよく、あるいはV2X制御機能またはPC5−Uuリソーススケジューリング機能を実施する他のデバイス、例えば図5に示すネットワーク側デバイスであってもよい。端末デバイスは、第1の端末デバイスまたは第2の端末デバイスであってもよく、あるいは他のデバイス、例えば図6に示される端末デバイスであってもよい。
【０１３２】
図7に示されるように、デバイスは、プロセッサ701、メモリ702および通信モジュール703を含み得る。
【０１３３】
デバイスの制御センターとして、プロセッサ701は、様々なインタフェースおよび線を使用することによってデバイス全体の様々な部分に接続され、ソフトウェアプログラムおよび／またはメモリに保存されたモジュールを実行または作動し、またメモリに保存されたデータを呼び出すことにより、デバイスの様々な機能および／またはデータ処理を実行する。プロセッサは、中央処理装置（central processing unit、略してCPU）、ネットワークプロセッサ（network processor、略してNP）、またはCPUとNPの組み合わせであってもよい。プロセッサは、ハードウェアチップを更に含んでもよい。ハードウェアチップは、特定用途向け集積回路（application−specific integrated circuit、略してASIC）、プログラマブルロジック装置（programmable logic device、略してPLD）、またはそれらの組み合わせであってもよい。PLDは、複合プログラマブルロジック装置（complex programmable logical device、略してCPLD）、フィールドプログラマブルゲートアレイ（field−programmable gate array、略してFPGA）、汎用アレイロジック（generic array logic、略してGAL）、またはそれらの任意の組み合わせであってもよい。
【０１３４】
メモリ702は、ランダムアクセスメモリ（random access memory、略してRAM）などの揮発性メモリ（volatile memory）を含んでもよいか、あるいは、フラッシュメモリ（flash memory）、ハードディスクドライブ（hard disk drive、略してHDD）、またはソリッドステートドライブ（solid−state drive、略してSSD）などの不揮発性メモリ（non−volatile memory）を含んでもよい。あるいは、メモリは、前述のタイプのメモリの組み合わせを含んでもよい。メモリは、命令、プログラム、またはコードを保存してもよく、デバイスのプロセッサは、プログラムまたはコードを実行することによりデバイスの機能を実施してもよい。
【０１３５】
通信モジュールは、デバイスと他のデバイスとの間の通信を実施するように構成されてもよい。例えば、デバイスがRCSである場合、通信モジュールは、RRSとRCSとの間の通信を実施するように構成された共通の公衆無線インタフェース（common public radio interface、CPRI）であってもよい。
【０１３６】
デバイスがPC5−Uuリソーススケジューリング機能を実施するように構成される場合、プロセッサ701は、通信モジュール703を使用することによって第1の端末デバイスによって送信された測定報告を受信し、測定報告がイベント指示情報を含む場合、第2の端末デバイスの、第1の通信モードから第2の通信モードに切り替えられる必要がある第2のV2Xサービスを決定し、イベント指示情報は、第1の通信モードの無線リソースが、第1の通信モードを使用することによって第1の端末によって第1のV2Xサービスを送信する送信要件を満たすことができないことを指示するために使用され、第2の通信モードは第1の通信モードと異なり、そして通信モジュール703を使用することによってモード切り替え指示をV2X制御機能に送信するか、または第1の更新許可パラメータを第2の端末デバイスに送信し、モード切り替え指示は、V2X制御機能に、第2の端末デバイスの第2のV2Xサービスの通信モードを第2の通信モードに切り替えるよう指示するために使用され、第1の更新許可パラメータは、第2の端末デバイスに、第2のV2Xサービスの通信モードを第2の通信モードに切り替えるよう指示するために使用される、ように構成されてもよい。
【０１３７】
デバイスがV2X制御機能を実施するように構成される場合、プロセッサ701は、通信モジュール703を使用することによってモード切り替え指示を取得し、モード切り替え指示に含まれる情報に基づいて、第1の通信モードから第2の通信モードに切り替えられる必要がある第2のV2Xサービス、および第2のV2Xサービスが属する第2の端末デバイスを決定し、そして通信モジュール703を使用することによって第1の更新許可パラメータを第2の端末デバイスに送信し、第1の更新許可パラメータは、第2の端末デバイスに、第2のV2Xサービスの通信モードを第1の通信モードから第2の通信モードに切り替えるよう指示するために使用される、ように構成されてもよい。
【０１３８】
デバイスが第1の端末デバイスである場合、プロセッサ701は、通信モジュール703を使用することによってリソース測定構成を受信し、測定構成に基づいて測定を行い、通信モジュール703を使用することによって測定報告を報告する、ように構成されてもよい。
【０１３９】
デバイスが第2の端末デバイスである場合、プロセッサ701は、通信モジュール703を使用することによって第1の更新許可パラメータを受信し、第1の更新許可パラメータの指示に従って、第2のV2Xサービスの通信モードを第1の通信モードから第2の通信モードに切り替え、第2の通信モードは第1の通信モードとは異なる、ように構成されてもよい。
【０１４０】
前述の実施形態のすべてまたは一部は、ソフトウェア、ハードウェア、ファームウェア、またはそれらの任意の組み合わせを使用することによって実施され得る。ソフトウェアを使用することによって実施形態を実施する場合、すべてまたは一部の実施形態は、コンピュータプログラム製品の形で実施することができる。コンピュータプログラム製品は、1つまたは複数のコンピュータ命令を含む。コンピュータプログラム命令がコンピュータにロードされ実行される場合、本発明の実施形態によるすべてまたは一部のプロセスまたは機能は生成される。コンピュータは、汎用コンピュータ、特定用途コンピュータ、コンピュータネットワーク、または他のプログラム可能装置であり得る。コンピュータ命令は、コンピュータ可読記憶媒体に記憶されてもよく、またはコンピュータ可読記憶媒体から他のコンピュータ可読記憶媒体に送信されてもよい。例えば、コンピュータ命令は、1つのウェブサイト、コンピュータ、サーバ、またはデータセンターから他のウェブサイト、コンピュータ、サーバ、またはデータセンターに有線（例えば、同軸ケーブル、光ファイバ、またはデジタル加入者回線（DSL））、または無線（例えば、赤外線、ラジオ、およびマイクロ波）で送信されてもよい。コンピュータ可読記憶媒体は、コンピュータ、または、1つまたは複数の使用可能媒体を統合したサーバまたはデータセンターなどのデータ記憶装置にアクセス可能な、任意の使用可能な媒体であってもよい。使用可能な媒体は、磁気媒体、例えば、フロッピーディスク、ハードディスク、磁気テープ、または光学媒体、例えば、DVDまたは半導体媒体、例えば、ソリッドステートドライブ（solid state drive、SSD）であってもよい。
【０１４１】
本明細書の実施形態における同一または類似の部分については、相互に参照する。特に、装置およびネットワーク側デバイスの実施形態は、基本的に方法の実施形態に類似しているため、簡潔に説明される。関連する部分については、方法の実施形態の説明を参照されたい。
【０１４２】
本発明の前述の実施形態は、本発明の保護範囲に対するいかなる限定も構成しない。
【符号の説明】
【０１４３】
501  受信ユニット
502  処理ユニット
503  送信ユニット
601  受信ユニット
602  処理ユニット
603  送信ユニット
701  プロセッサ
702  メモリ
703  通信モジュール
【図１】
0006929974.tif 000002
【図２】
0006929974.tif 000003
【図３】
0006929974.tif 000004
【図４】
0006929974.tif 000005
【図５】
0006929974.tif 000006
【図６】
0006929974.tif 000007
【図７】
0006929974.tif 000008